(57)【特許請求の範囲】
【請求項１】
ベッドフレームに、ベッドの長手方向にスライド自在としてスライドマットが保持された牽引治療用ベッドにおいて、
ロ−タリ式のダンパと、
前記スライドマットのベッドフレームに対するスライド動を、前記ダンパの回転軸の回転運動として伝達する伝達手段と、
を備え、
前記スライドマットを前記ベッドフレームに対して上方へ変位させたときに、該スライドマットのベッドフレームに対するスライド動が前記ロ−タリ式ダンパの回転軸の回転として伝達されるのを遮断するように構成されている、
ことを特徴とする牽引治療用ベッド。
【請求項２】
請求項１において、
前記ベッドフレームとスライドマットとのいずれか一方に、前記ロータリ式ダンパの本体が固定され、
前記伝達手段が、ベッドの長手方向に伸ばして前記ベッドフレームとスライドマットとの他方に固定されたラックと、前記ロータリ手段ダンパの回転軸に取付けられると共に該ラックに噛合するピニオンとを備えている、
ことを特徴とする牽引治療用ベッド。
【請求項３】
請求項１または請求項２において、
前記スライドマットの牽引方向側端部が、該スライドマットの牽引方向反対側端部を中心として上方へ変位可能として構成され、
前記スライドマットの牽引方向端部が上方へ変位されたときに、該スライドマットのベッドフレームに対するスライド動が前記ロ−タリ式ダンパの回転軸の回転として伝達されるのが遮断される、
ことを特徴とする牽引治療用ベッド。
【請求項４】
請求項１または請求項２において、
前記スライドマットが、前記ベッドフレームに対してスライド動されるベ−スフレームと、該ベ−スフレーム上に構成されたクッション体とを備え、
前記クッション体のベッド長手方向一端部が、該クッション体のベッド長手方向他端部を中心として上方へ変位可能として構成され、
前記クッション体の一端部が上方へ変位されたときに、前記ベ−スフレームのベッドフレームに対するスライド動が前記ロ−タリ式ダンパの回転軸の回転として伝達されるのが遮断される、
ことを特徴とする牽引治療用ベッド。
【請求項５】
請求項４において、
前記クッション体の一端部を上方へ向けて付勢するスプリングが設けられている、ことを特徴とする牽引治療用ベッド。
【請求項６】
ベッドフレームに、ベッドの長手方向にスライド自在としてスライドマットが保持された牽引治療用ベッドにおいて、
前記ベッドフレームとスライドマットとのいずれか一方に、マニュアル操作によって揺動される揺動レバーが取付けられ、
前記揺動レバーに、ロ−タリ式ダンパの本体が取付られ、
前記ベッドフレームとスライドマットとの他方に、ベッドの長手方向に伸ばしてラックが取付けられ、
前記ロ−タリ式ダンパの回転軸にピニオンが取付けられ、
前記揺動レバーを、前記ピニオンが前記ラックと噛合する方向に付勢するスプリングが設けられ、
前記揺動レバーを、マニュアル操作によって前記スプリングに抗して揺動させることにより、前記ラックとピニオンとの噛合が解除される、
ことを特徴とする牽引治療用ベッド。
【請求項７】
ベッドフレームに、ベッドの長手方向にスライド自在としてスライドマットが保持された牽引治療用ベッドにおいて、
前記スライドマットが、前記ベッドフレームに対してスライド動されるベ−スフレームと、該ベ−スフレーム上に構成されたクッション体とを備え、
前記クッション体のベッド長手方向一端部が、該クッション体のベッド長手方向他端部を中心として上方へ変位可能として構成され、
前記クッション体の一端部を上方へ向けて付勢するスプリングが設けられ、
前記クッション体の下面または前記ベッドフレームのいずれか一方に、ロ−タリ式ダンパの本体が固定され、
前記クッション体の下面または前記ベッドフレームの他方に、ベッドの長手方向に伸ばしてラックが取付けられ、
前記ロ−タリ式ダンパの回転軸に、ピニオンが取付けられ、
前記クッション体の一端部が前記スプリングによって上方へ変位されているときは前記ピニオンとラックとの噛合が解除され、該クッション体の一端部が前記スプリングに抗して下方位置とされているときは前記ピニオンとラックとが噛合される、
ことを特徴とする牽引治療用ベッド。
【請求項８】
請求項１ないし請求項７のいずれか１項において、
前記スライドマットを、牽引方向とは反対方向へ向けて付勢するリタ−ンスプリングが設けられている、ことを特徴とする牽引治療用ベッド。
【発明の詳細な説明】
【０００１】
【産業上の利用分野】
本発明は、牽引治療用ベッドに関するものである。
【０００２】
【従来の技術】
整形外科領域において、腰椎症や頸椎症の治療のために、牽引治療用ベッドが用いられている。この牽引治療用ベッドは、通常、ベッドフレーム上に、ベッドの長手方向にスライド自在としてスライドマットが保持されている、そして、ベッド上の患者の上半身が牽引方向へ移動しないようにベルト等の適宜の拘束具によって拘束された状態で、スライドマット上にある患者の下半身が牽引装置によって所定の牽引力でもって牽引される。この牽引の際、スライドマットのベッドフレームに対する滑らかなスライド動によって、所定の牽引力が正確に患者に伝達されることになる。
【０００３】
上述のような牽引治療用ベッドのなかには、実開平６−１５６１６号公報に示すように、スライドマットとベッドフレームとの間に、シリンダ式のダンパを架設したものがある。すなわち、ベッドからの患者の乗り降りのときに、スライドマットが不用意にスライドしてしまうことをダンパの制動作用を利用して防止するようにしたものがある。このダンパは、牽引時には、スライドマットが極めてゆっくりとスライド動されるために制動力を実質的に発生しないので、牽引装置による所定の牽引力を正確に得るという点でも何ら問題のないものとなる。
【０００４】
【発明が解決しようとする課題】
ところで、最近では、身長の高い患者が増加する傾向にあるが、この場合、要求されるスライドマットのスライド長さが大きくなる。また、患者への拘束具の設定のときにスライドマットは牽引方向へ少なからずスライドされるものであり、この点をも考慮すると、スライドマットのスライド長さを相当に大きいものとして設定することが要求されることになる。
【０００５】
一方、前記公報記載のようなシリンダ式のダンパを用いた場合は、そのストロ−ク長があまり大きくない関係上、スライドマットを大きくスライドさせるときは使用不可能となるか、あるいはストロ−ク長の極めて大きい特注品を用いざるを得ないことになる。この特注品のダンパを用いるということは、コストの点から好ましくないものとなる。
【０００６】
本発明は以上のような事情を勘案してなされたもので、その目的は、スライドマットのスライド長さを大きく設定したときでも、市販品のダンパを用いて対応できるようにした牽引治療用ベッドを提供することにある。
【０００７】
【課題を解決するための手段】
前記目的を達成するため、本発明はその第１の解決手段として、次のようにしてある。すなわち、特許請求の範囲における請求項１に記載のように、
ベッドフレームに、ベッドの長手方向にスライド自在としてスライドマットが保持された牽引治療用ベッドにおいて、
ロ−タリ式のダンパと、
前記スライドマットのベッドフレームに対するスライド動を、前記ダンパの回転軸の回転運動として伝達する伝達手段と、
を備え、
前記スライドマットを前記ベッドフレームに対して上方へ変位させたときに、該スライドマットのベッドフレームに対するスライド動が前記ロ−タリ式ダンパの回転軸の回転として伝達されるのを遮断するように構成されている、
ようにしてある。上記解決手段を前提として好ましい態様は、特許請求の範囲における請求項２〜請求項５および請求項８に記載のとおりである。
【０００８】
前記目的を達成するため、本発明はその第２の解決手段として、次のようにしてある。すなわち、特許請求の範囲における請求項６に記載のように、
ベッドフレームに、ベッドの長手方向にスライド自在としてスライドマットが保持された牽引治療用ベッドにおいて、
前記ベッドフレームとスライドマットとのいずれか一方に、マニュアル操作によって揺動される揺動レバーが取付けられ、
前記揺動レバーに、ロ−タリ式ダンパの本体が取付られ、
前記ベッドフレームとスライドマットとの他方に、ベッドの長手方向に伸ばしてラックが取付けられ、
前記ロ−タリ式ダンパの回転軸にピニオンが取付けられ、
前記揺動レバーを、前記ピニオンが前記ラックと噛合する方向に付勢するスプリングが設けられ、
前記揺動レバーを、マニュアル操作によって前記スプリングに抗して揺動させることにより、前記ラックとピニオンとの噛合が解除される、
ようにしてある。上記解決手段を前提として好ましい態様は、特許請求の範囲における請求項８に記載のとおりである。
【０００９】
前記目的を達成するため、本発明はその第３の解決手段として、次のようにしてある。すなわち、特許請求の範囲における請求項７に記載のように、
ベッドフレームに、ベッドの長手方向にスライド自在としてスライドマットが保持された牽引治療用ベッドにおいて、
前記スライドマットが、前記ベッドフレームに対してスライド動されるベ−スフレームと、該ベ−スフレーム上に構成されたクッション体とを備え、
前記クッション体のベッド長手方向一端部が、該クッション体のベッド長手方向他端部を中心として上方へ変位可能として構成され、
前記クッション体の一端部を上方へ向けて付勢するスプリングが設けられ、
前記クッション体の下面または前記ベッドフレームのいずれか一方に、ロ−タリ式ダンパの本体が固定され、
前記クッション体の下面または前記ベッドフレームの他方に、ベッドの長手方向に伸ばしてラックが取付けられ、
前記ロ−タリ式ダンパの回転軸に、ピニオンが取付けられ、
前記クッション体の一端部が前記スプリングによって上方へ変位されているときは前記ピニオンとラックとの噛合が解除され、該クッション体の一端部が前記スプリングに抗して下方位置とされているときは前記ピニオンとラックとが噛合される、
ようにしてある。上記解決手段を前提として好ましい態様は、特許請求の範囲における請求項８に記載のとおりである。
【００１０】
ロ−タリ式ダンパは、ストロ−ク端を有しない、つまりその回転軸が３６０度以上同じ方向に回転しても減衰力つまり制動力を発生することが可能である。換言すれば、スライドマットのスライド長さがいくら大きくなっても、ロ−タリ式ダンパの回転軸の回転数が大きくなることによって対応することができる。
【００１１】
【発明の効果】
請求項１に記載された発明によれば、スライドマットのスライド長さを大きくしても、市販のロ−タリ式ダンパを用いて対応することができる。
【００１２】
また、請求項１に記載された発明によれば、スライドマットの上方へ変位させることにより、ロ−タリ式ダンパの制動作用を任意にカットして、スライドマットを任意の位置、例えば牽引直前の原位置へ早期に復帰させる等の上で好ましいものとなる。この場合、ロ−タリ式ダンパの制動作用をカットするためのクラッチ等の特別の部材を別途用いる必要がないという点でも好ましいものとなる。
【００１３】
請求項２に記載された発明によれば、スライド動を回転運動に変換する一般的なラックアンドピニオン機構を用いて、スライドマットのスライド動をロータリ式ダンパの回転運動として伝達することができる。
【００１４】
請求項３によれば、スライドマットの牽引方向端部のみを持ち上げるだけで、つまり小さい持ち上げ力でもって、ロータリ式ダンパの制動作用をカットすることができる。
【００１５】
請求項４によれば、クッション体という軽い部材のベッド長手方向一端端部を持ち上げるというように、極めて小さい持ち上げ力でもって、ロータリ式ダンパの制動作用をカットすることができる。
【００１６】
請求項５によれば、常時はスプリングの付勢力によってロ−タリ式ダンパの制動作用をカットした状態としつつ、例えば患者のがスライドマット上に乗る等、患者の体重の一部がスライドマット上に作用することによって、即座にかつ自動的にロ−タリ式ダンパの制動作用を確保することができる。
【００１７】
請求項６に記載された発明によれば、スライドマットのスライド長さを大きくしても、市販のロ−タリ式ダンパを用いて対応することができる。また、スライド動を回転運動に変換する一般的なラックアンドピニオン機構を用いて、スライドマットのスライド動をロータリ式ダンパの回転軸の回転運動として伝達することができる。以上に加えて、揺動レバーをマニュアル操作によって揺動させてロ−タリ式ダンパの制動作用をカットして、スライドマットを牽引方向反対側の原位置へすみやかに復帰させる等の上で好ましいものとなる。
【００１８】
請求項７に記載された発明によれば、スライドマットのスライド長さを大きくしても、市販のロ−タリ式ダンパを用いて対応することができる。また、スライド動を回転運動に変換する一般的なラックアンドピニオン機構を用いて、スライドマットのスライド動をロータリ式ダンパの回転軸の回転運動として伝達することができる。以上に加えて、請求項４および請求項５に対応した効果を得ることができる。
【００１９】
請求項８によれば、ロ−タリ式ダンパの制動作用がカットされたときに、スライドマットを、リタ−ンスプリングを利用して牽引方向反対側の原位置へ容易に復帰させることができる。
【００２０】
【発明の実施の形態】
【００２１】
(1)図１図〜図５の説明
図１〜３において、１はベッドフレームであり、左右一対のガイドフレーム２Ａ、２Ｂと、該ガイドフレーム２Ａと２Ｂ同士を連結する複数の桁部材３Ａ〜３３Ｅと、ベッドの長手方向各端部にそれぞれ２本ずつ設けた支持脚４とを有する。ガイドフレーム２Ａ、２Ｂは、それぞれ断面略Ｃ字型のチャネル材を利用して構成されて、内側方側にのみ開口された形状として構成されている。ベッドフレーム１の牽引方向反対側端部には、患者を拘束する拘束具の取付部ともなる支持部５が、上方へ立ち上がるようにして形成されている。
【００２２】
ベッドフレーム１上には、支持部５側から牽引方向側へ順次、ベッドマット１０とスライドマット２０とが保持されている。ベッドマット１０は、走行車輪としてのローラ１１を有して、左右一対のガイドフレーム２Ａ、２Ｂ上、つまりベッドの長手方向にスライド可能とされている。このベッドマット１０は、第１リタ−ンスプリング１２によって、支持部５側へ向けて付勢されている。なお、ベッドマット１０は、ベッドフレーム１に対して固定されて、スライド不能として設定することもできる。
【００２３】
スライドマット２０は、図４、図５にも示すように、薄板状のベ−スフレーム２１と、該ベ−スフレーム２１上のクッション体２２とを一体化することにより構成されている。ベ−スフレーム２１の下面には、ベッドの長手方向端部の左右においてそれぞれ、ブラケット２３を介して走行車輪としてのローラ２４が取付けられている。このローラ２４は、左右一対のガイドフレーム２Ａあるいは２Ｂ内に、上下方向に所定間隙を有するようにして嵌合されている。これにより、制動力が作用しない限り、スライドマット２０はベッドフレーム１に対してベッド長手方向に滑らにスライド可能とされている。なお、ベッドマット１０のローラ１１も、スライドマット２０のローラ２４と同様に、ガイドフレーム２Ａ、２Ｂに嵌合しているものである。
【００２４】
ベ−スフレーム２１の下面には、牽引方向側端部寄りにおいてかつベッド長手方向に伸ばして、ラック３１が固定されている。このラック３１の歯面は、下方を向いている。一方、ベッドフレーム１の桁部材３Ｄには、ブラケット３２を介してロ−タリ式ダンパ３３の本体３３ａが固定されている。このロ−タリ式ダンパ３３の略水平方向に伸びる回転軸３３ｂにはピニオン３４が固定されており、このピニオン３４が、上記ラック３１に対して下方向から噛合されている。また、ベ−スフレーム２１と桁部材３Ｂとの間には、第２リタ−ンスプリング３５が架設されて、このリタ−ンスプリング３５によって、スライドマット２０は、牽引方向反対側端へ向けて、つまり原位置へ向けて常時付勢されている。
【００２５】
ロ−タリ式ダンパ３３は、両方向回転（正転、逆転）共に制動力を発生できる両方向特性のものが用いらている。ロ−タリ式ダンパ３３は、回転ストロ−ク端を有しないものとされていて、回転軸３３ｂの３６０度以上の回転（無限回転）でも制動力発生が可能である。このようなロ−タリ式ダンパとしては、例えば、不二精器（株）製の型式「ＦＲＴ−Ｆ１」がある。
【００２６】
図１〜図３は、スライドマット２０が、原位置（牽引方向反対側端位置）にあるベッドマット１０に当接した原位置にある状態を示し、設定されたスライドマット２０のスライド長さが、図２において符合Ｌで示される。このスライド長さＬは、例えば２７５ｍｍというように、従来のものに比してかなり大きく設定されている。そして、ラック３１の長さは、上記設定スライド長さ以上の長さ、つまりスライドマット２０の設定スライド長さ範囲においてはピニオン３４がラック３１と噛合するように、十分長く設定されている。
【００２７】
ここで、スライドマット２０のローラ２４が、ガイドフレーム２Ａ、２Ｂの底壁上に乗っているときは、上述のようにラック３１とピニオン３４とが噛合されている。また、ローラ２４は、ガイドフレーム２Ａ、２Ｂ内において若干上方へ変位可能であり、この上方変位量は、ラック３１とピニオン３４とが噛合解除されるのに必要なスライドマット２０の上方変位量よりも若干大きく設定されている。これにより、スライドマット２０の牽引方向側端部を、牽引方向反対側端部にあるローラ２４を中心として若干持ち上げることにより、牽引方向側端部にあるローラ２４がガイドレール２Ａ、２Ｂから上方へ浮き上がった状態となって、ラック３１とピニオン３４との噛合が解除される。
【００２８】
ベッドマット１０、スライドマット２０が図１〜図３に示す原位置にある状態で、牽引を受ける患者は、上半身がベッドマット１０上に位置するように、かつ下半身がスライドマット２０上に位置するようにベッド上に乗ることになる。ベッドへ患者が乗ろうとするとき、スライドマット２０は、患者からベッド長手方向の外力を受けたとしても、ラック３１、ピニオン３４を介したロ−タリ式ダンパ３３の制動作用によって、当該スライドマット２０のスライド動が規制されて、スライドマット２０の不用意なスライド動が防止される。患者がベッドから降りるときも、ロ−タリ式ダンパ３３の制動作用によって、スライドマット２０の不用意なスライド動が規制される。
【００２９】
ベッド上にいる患者の牽引は、例えば支持部５に連結された拘束具によって患者の上半身が牽引方向へ移動しないように拘束した状態で、患者の下半身を、牽引具を介して牽引装置によって所定の牽引力でもって牽引することにより行われる。牽引はゆっくりと行われるため、ロ−タリ式ダンパ３３の制動作用は発生せず、スライドマット２０は、所定の牽引力に応じて滑らかに牽引方向へとスライド動される。
【００３０】
患者への牽引が終了すると、第２リタ−ンスプリング３５によって、スライドマット２０がゆっくりと原位置へ向けてスライド復帰されて、次の牽引に備えることになる。次の牽引を急いで準備するよう必要があるときは、スライドマット２０の牽引方向側端部を持ち上げればよい。すなわち、スライドマット２０の牽引方向側端部を持ち上げることにより、ラック３１とピニオン３４との噛合が解除されて、つまりロ−タリ式ダンパ３３の制動作用がカットされて、第２リタ−ンスプリング３５によって、スライドマット２０がすみやかに原位置へ復帰されることになる（スプリング３５を有しない構成とする場合は、スライドマット２０を原位置へ向けて押圧操作すればよい）。スライドマット２０が原位置へ復帰した状態で、上記牽引方向端部の持ち上げを解除すればよい。
【００３１】
なお、ラック３１をベッドフレーム１側に設け、ロ−タリ式ダンパ３３をスライドマット２０側に設けるようにすることもできる。また、スライドマット３１のスライド動とロ−タリ式ダンパ３３の回転との連動を遮断するのに、例えば、ピニオン３４を、マニュアル操作されるクラッチを介してロ−タリ式ダンパ３３の回転軸３３ｂに連結して、このクラッチをマニュアル操作してその断続を行うようにしてもよい（この場合は、スライドマット２０を持ち上げ操作が不要となる）。さらに、ラッック３１とピニオン３４とは、上下方向からの噛合ではなく、横方向からの噛合とすることも可能である（この場合、噛合解除のためには、別途クラッチを用いる等するか、スライドマット２０をベッドフレーム１に対して横方向に若干変位可能として、この横方向変位を利用して噛合解除を得るようにする）。
【００３２】
(2)図６の説明
図６は、本発明の他の実施の形態を示すものであり、図１R>１〜図５の実施の形態と同一構成要素には同一符合を付してその重複した説明は省略する（このことは図７以下の説明においても同じ）。
【００３３】
図６の例では、ロ−タリ式ダンパ３３の制動作用カットを、揺動レバーをマニュアル操作することにより得るようにしてある。すなわち、ベッドフレーム１に対して固定したブラケット４１に、略水平方向に伸びるピン４２を中心として、揺動レバー４３が揺動自在に取付けられている。この揺動レバー４３に、ロ−タリ式ダンパ３３の本体３３ａが固定されている。揺動レバー４３は、スプリング４４によって、ロ−タリ式ダンパ３３の回転軸３３ｂに取付けたピニオン３４がラック３１に噛合する方向に付勢されている。
【００３４】
揺動レバー４３からは、マニュアル操作される操作部４３ａが長く穿設されて、この操作部４３ａを持ち上げ操作して、揺動レバー４３がスプリング４４に抗して揺動させることにより、ラック３１とピニオン３４との噛合が解除される。なお、揺動レバー４３、スプリング４４、ロ−タリ式ダンパ３３をスライドマット２０側に設け、ラック３１をベッドフレーム１側に設けるようにしてもよい。
【００３５】
(3)図７の説明
図７の実施の形態では、ロ−タリ式ダンパ３３をスライドマット２０に設けて、スライドマット２０に設けた走行車輪としてのローラ２４の回転を利用して、ロ−タリ式ダンパ３３の回転軸３３ｂを回転させるようにしてある。すなわち、スライドマット２０（のベ−スフレーム２１下面）に突設したブラケット５１に対して、ロ−タリ式ダンパ３３の本体３３ａが固定されている。ローラ２４の回転軸２４ａに対して第１プーリ５２が固定され、ロ−タリ式ダンパ３３の回転軸３３ｂには第２プーリ５３が固定されている。そして、この各プーリ５２と５３との間には、巻き掛け媒介節としてのベルト５４が巻回されている。ベルト５４は、歯付きベルトやチェ−ンの形式でもよく、この場合は、プーリ５２、５３を歯付きプーリあるいはスプロケットの形式とすればよい。
【００３６】
図７の例では、スライドマット２０側に、当該スライドマット２０のスライド動に応じた制動作用を得るためのロ−タリ式ダンパ３３等の部材が全て組み込まれることになる。この図７の例でも、プーリ５２を有する側のローラ２４がガイドフレーム２Ａ、２Ｂから持ち上がるようにスライドマット２０の長手方向一端部を持ち上げることにより、ロ−タリ式ダンパ３３の制動作用をカットすることができる（ローラ２４が回転しない状態にする）。
【００３７】
なお、プーリ５２、５３とベルト５４の代わりに、歯車によって連動関係を構成することもできる。また、ローラ２４を、ベッドフレーム１側例えばガイドフレーム２Ａ、２Ｂにベッド長手方向に複数設けて、このローラ２４上をスライドマット２０がスライド動されるように構成する一方、ベッドフレーム１側にロ−タリ式ダンパ３３を設けて、ベッドフレーム１に設けたローラ２４の１個とロ−タリ式ダンパ３３の回転軸３３ｂとをベルト５４等を介して連動させるようにすることもできる。また、例えば、プーリ５２、５３のいずれか一方にマニュアル操作されるクラッチを組み込んで、ローラ２４とロ−タリ式ダンパ３３の回転軸３３ｂとの連動関係を断続するように構成することもできる。
【００３８】
(4)図８の説明
図８の例では、ロ−タリ式ダンパ３３をスライドマット２０側に設ける一方、ラックアンドピニオンを利用して、スライドマット２０のスライド動をロ−タリ式ダンパ３３の回転軸３３ｂの回転として連動させるようにしてある。すなわち、クッション体２２がベ−スフレーム２１に対して分離可能に構成されて、クッション体２２の牽引方向側端部が、略水平方向の回転軸を有するヒンジ６１を利用して、ベ−スフレーム２１に対して揺動自在に取付けられている。クッション体２２は、ベ−スフレーム２１との間に介在さされたスプリング６２の付勢力によって、外力が作用しない限り、その牽引方向反対側端部がベ−スフレーム２１から若干上方へ持ち上がった状態とされる。
【００３９】
クッション体２２のの下面に突設したブラケット６３に、ロ−タリ式ダンパ３３の本体３３ａが固定されている。そして、ロ−タリ式ダンパ３３の回転軸３３ｂに、ピニオン３４が固定されている。ベ−スフレーム２１には、上記ブラケット６３、ロ−タリ式ダンパ３３、ピニオン３４が通過可能な開口６４が形成されている。また、ベッドフレーム１（の桁部材）には、ベッドの長手方向に伸ばして、ラック３１が固定されている。
【００４０】
クッション２２の牽引方向反対側端部が上方へ持ち上がった図８の状態では、ピニオン３４とラック３１との噛合が解除されている。クッション体２２に、患者等の体重の一部が上方から作用すると、スプリング６２に抗して、クッション体２２が下方へ変位されて、その全体がベ−スフレーム２１上に安定して着座された下方変位位置となる。この下方変位位置では、ピニオン３４がラック３１と噛合されることになる。なお、ラック３１をクッション体２２側に設ける一方、ロ−タリ式ダンパ３３、ピニオン３４をベッドフレーム１側に設けるようにすることもできる（この場合、前記開口６４は、ラック３１に合わせて細長いものとされる）。
【００４１】
図８の場合とは逆に、クッション体２２の揺動中心となるヒンジ６１を、牽引方向反対側端部に設けるようにすることもできる。ただし、クッション体２２に対しては、ベッドマット１０に近い側の端部から患者が乗り降りすることが多いので、この乗り降りの多いベッドマット１０側の端部（牽引方向反対側端部）が上下方向へ変位可能として設定しておくのが好ましい。
【００４２】
(5)図９の説明
図９の例では、スライドマット２０を、ギャッジベッド式としたものである。すなわち、スライドマット２０のベ−ス２１上にあるクッション体を、ベッド長手方向に３分割されたクッション体２２Ａ〜２２Ｃに構成してある。そして、各分割クッション体２２Ａ〜２２Ｃが、実線で示すように全体的に平板状とされた第１状態と、一点鎖線で示すように牽引方向側にある２つのクッション体２２Ｂ、２２Ｃを山なりに傾斜させた第２状態とに選択的に姿勢変更できるようにしてある。第２状態では、あお向けの患者が膝を曲げたときに、曲げられた膝を支承しておくのに好ましい姿勢状態となる。このギャッジベッド式の場合は、スライドマット２０のスライド量Ｌが、３５０ｍｍというように、さらに大きく設定されている。
【００４３】
以上実施の形態について説明したが、スライドマット２０のスライド動とロ−タリ式ダンパ３３の連動関係を断続するクラッチの切換操作を、図８に示すようなクッション体２２のベ−スフレーム２２に対する揺動を利用して行うようにすることもできる（図８に示すクッション体２２がベ−スフレーム２２に対して上方変位されているときに、クラッチ切断）。
【００４４】
本発明は、特許請求の範囲に記載された範囲において改変されたものを含むものである。例えば、本発明は、実施の形態において開示された具体的な部材の機能の上位表現に手段の名称を付したものをも暗黙的に開示しているものである。また、本発明の目的は、明記されたものに限らず、実質的に好ましいあるいは利点として記載された内容のものを提供することを暗黙的に含むものである。
【図面の簡単な説明】
【図１】本発明の第１の実施形態を示す斜視図。
【図２】図１の上面図。
【図３】図１の側面図。
【図４】図２のＸ４−Ｘ４線相当断面図。
【図５】図２のＸ５−Ｘ５線相当断面図。
【図６】本発明の第２の実施形態を示す要部側面断面図。
【図７】本発明の第３の実施形態を示す要部側面断面図。
【図８】本発明の第４の実施形態を示す要部側面断面図。
【図９】本発明の第５の実施形態を示すスライドマットの側面図。
【符合の説明】
１：ベッドフレーム
２Ａ、２Ｂガイドフレーム
２０：スライドマット
２１：ベ−スフレーム
２２：クッション体
２４：ローラ（走行車輪）
２４ａ：ローラ回転軸
３１：ラック
３３：ロ−タリ式ダンパ
３３ａ：本体
３３ｂ：回転軸
３５：リタ−ンスプリング（原位置復帰用）
４３：揺動レバー
４３ａ：操作部
５２：第１プーリ
５３：第２プーリ
５４：ベルト
６１：ヒンジ（クッション体の揺動中心）
６２：スプリング
【図１】
0003725946.tif 000002
【図２】
0003725946.tif 000003
【図３】
0003725946.tif 000004
【図４】
0003725946.tif 000005
【図５】
0003725946.tif 000006
【図６】
0003725946.tif 000007
【図７】
0003725946.tif 000008
【図８】
0003725946.tif 000009
【図９】
0003725946.tif 000010